(57)【特許請求の範囲】
【請求項１】
シリンダによって駆動される左右一対の旋回アームの一方の先端部にはドレーンペーパー切断用の内向きカッターが形成されると共にペーパーへ取り付けるアンカーを載置し、他方のアームの先端部にはペーパーを案内して押えると共に上記カッターを受け入れる部材とアンカーに形成されたペーパーへの食い込み歯を折り曲げて切断された上側のペーパーの切断端に該アンカーを取付け固定する部材を設け、ケーシング打設時は左右両アームを側方へ旋回させておいて泥土の飛散範囲より外側にあるようにし、ペーパー切断と同時にアンカー取付けを行なうときには両アーム先端を互いに接近方向へ旋回させるように構成したことを特徴とするペーパードレーン用ペーパーの自動切断及びアンカー取付け装置。
【請求項２】
別々の支軸に軸支されて別々のシリンダの駆動により同じ高さ位置で前方へ水平旋回自在のほぼ同長の左右一対のアームの一方の例えば右アームの先端部上面にはその旋回方向へ突出するようにカッター刃が固定されると共にアンカーを載置する浅い凹窪が形成され、更に該右アームの上下にあって該右アームより長くその先端部を互いに連結固定されその基部を該右アームの支軸にフリー状態で軸支されて水平旋回自在の２本のペーパー押え杆はその先端部が上記カッター刃より前方へ突出するように賦勢されてなり、他方の例えば左アームの先端部上面には前方へ突出するように上記右アームの上側押え杆と圧接可能な受けブロックが取付けられ、該受けブロックの前面下方には上記凹窪内に載置されたアンカーの食い込み歯を折り返し可能な断面半円形の横溝がその全幅にわたって形成され、更に該左アームの先端部下面には上記受けブロックと同位置まで突出して上記下側のペーパー押え杆と圧接可能な突出板が取付けられ、左アームの旋回方向側の上記受けブロックと該突出板との間には上記右アームの前方旋回によりその先端カッター刃が進入可能な間隙が形成されてなることを特徴とするペーパードレーン用ペーパーの自動切断及びアンカー取付け装置。
【請求項３】
前記右アームの凹窪の前方旋回方向後端縁には該凹窪の中間部上方へ向けて水平に突出アンカー押え板が取付けられ、該押え板は右アームの前方旋回により凹窪内のアンカーの立ち上がり部の背面上端部を押圧してアンカーの食い込み歯を旋回方向前方にあるドレーンペーパーの面に突き刺し可能に構成されてなる請求項２記載のペーパードレーン用ペーパーの自動切断及びアンカー取付け装置。
【請求項４】
前記右アームのカッター刃よりやや基部側にはカッター刃と同程度のまで突出して右アームの前方旋回により前記左アームの間隙に進入自在のガイド部材が設けられてなる請求項２又は３記載のペーパードレーン用ペーパーの自動切断及びアンカー取付け装置。
【請求項５】
前記左右両アームがケーシング昇降位置から戻り旋回して一直線状に並んだときの右アームの前記先端凹窪上方にはアンカーを上下に積み重ねて整列貯蔵する上下開放のマガジンが配設され、該マガジンを構成する左右両側板の外側下端部に取付けられた固定ブロック後端から後方へ突出する２本のガイドロッドには該ロッドに貫挿支持されて前後に移動可能な摺動ブロックが取付けられ、該摺動ブロックは上記固定ブロックと結ぶ引張りコイルスプリングにより上記マガジン背面下端へ向って前進するように賦勢され、更に該摺動ブロックの前面には中央側へ寄せて前方へ向かって突出する２本の平行する支持バーが突設されて、該支持バーの前進により右アームの先端凹窪に供給されるマガジン内のアンカーのうち下から２番目のアンカーをすくい取り可能に構成されてなる請求項２、３又は４記載のペーパードレーン用ペーパーの自動切断及びアンカー取付け装置。
【請求項６】
前記マガジンを構成する左右両側板は水平断面コ字形で互いにその内側を対面させるようにしてなり、該両側板の内面にはアンカーを構成する底板の左右両側辺に互いにその位置をずらして形成された切欠部と嵌合する突条がその上下にわたって突出形成されてなる請求項２、３、４又は５記載のペーパードレーン用ペーパーの自動切断及びアンカー取付け装置。
【発明の詳細な説明】
【０００１】
【発明の属する技術分野】
本発明は、ペーパードレーン工法に使用するペーパードレーン打設装置の下部に取付けられ、ドレーンペーパーを自動切断すると同時に、次の打設のためにドレーンペーパーの上側切断端にアンカーを自動的に取付ける装置に関するものである。
【０００２】
【従来の技術】
ペーパードレーン工法は、改良すべき軟弱地盤中に紙質や合成樹脂，化学繊維，不織布等からなる長尺の強靭なドレーンペーパーを打ち込んで、地盤中の水分を該ペーパーの細孔や繊維間隙を通じて地上に排出させることにより、地盤を圧密させる工法である。
【０００３】
従来、この工法の施工のために、打設装置のオペレータの他に、ペーパーの切断と該ペーパーの上側切断端へのアンカーの取付け作業のために２人の作業員が必要で、これらの作業はもっぱら手作業で行なわれており、中腰の作業が強いられるため、作業員の肉体的苦痛が大きく、しかも打設機の近傍はドレーンペーパーを介して排出させた水で地盤が泥状となっており、打設機の安定を妨げ、非常に危険を伴う作業であった。
【０００４】
そこで、作業員の安全対策と作業能率の向上のため、本出願人は先に打設機のオペレータが遠隔操作でドレーンペーパーの切断と該ペーパー下端へのアンカーの取付けを自動的に同時に行なうことができるようにした装置を特開平１１−５０４４２号公報で提案した。
【０００５】
この自動化装置に装置により、上記した旧来の問題は解決できるものの、この装置自体は昇降する打設用ケーソングのすぐ近傍に該ケーソシングを取り囲むようにして設置するので、ケーシングに付着した泥土の飛散により装置の作動に影響を及ぼす結果となり、またペーパーカッター及びアンカーとこれを受ける支持部との間隔を大きくとれば、泥土の飛散範囲（ケーシングを中心に半径３０cm程度）を越えることはできても、この装置自体が大きくなって、現場が狭い場所での打設や構築物が接近した場所での打設では、打設機が自由に旋回できなくなることもあった。
【０００６】
【発明が解決しようとする課題】
本発明は、ペーパードレーン打設時には装置各部分が泥土の飛散範囲を越えた位置にあり、ペーパー切断及びアンカー取付時にのみ移動部分がケーシング直下の打込み済みのペーパーに接近して行くようにして、泥土飛散による影響をできる限り少なくし、しかも装置全体を従来の上記自動化装置よりも小型かつコンパクトにして、狭い場所等での打設機の全旋回での打設工事を可能とするドレーンペーパーの切断と該ペーパーへのアンカー取付けを同時かつ自動的に行う装置を提案するものである。
【０００７】
【課題を解決するための手段】
そこで、本発明では、シリンダによって駆動される左右一対の旋回アームの一方の先端部にはドレーンペーパー切断用の内向きカッターが形成されると共にペーパーへ取り付けるアンカーを載置し、他方のアームの先端部にはペーパーを案内して押えると共に上記カッターを受け入れる部材とアンカーに形成されたペーパーへの食い込み歯を折り曲げて切断された上側のペーパーの切断端に該アンカーを取付け固定する部材を設け、ケーシング打設時は左右両アームを側方へ旋回させておいて泥土の飛散範囲より外側にあるようにし、ペーパー切断と同時にアンカー取付けを行なうときには両アーム先端を互いに接近方向へ旋回させるようにしたのである。
【０００８】
即ち、本発明は別々の支軸に軸支されて別々のシリンダの駆動により同じ高さ位置で前方へ水平旋回自在のほぼ同長の左右一対のアームの一方の例えば右アームの先端部上面にはその旋回方向へ突出するようにカッター刃が固定されると共にアンカーを載置する浅い凹窪が形成され、更に該右アームの上下にあって該右アームより長くその先端部を互いに連結固定されその基部を該右アームの支軸にフリー状態で軸支されて水平旋回自在の２本のペーパー押え杆はその先端部が上記カッター刃より前方へ突出するように賦勢されてなり、他方の例えば左アームの先端部上面には前方へ突出するように上記右アームの上側押え杆と圧接可能な受けブロックが取付けられ、該受けブロックの前面下方には上記凹窪内に載置されたアンカーの食い込み歯を折り返し可能な断面半円形の横溝がその全幅にわたって形成され、更に該左アームの先端部下面には上記受けブロックと同位置まで突出して上記下側のペーパー押え杆と圧接可能な突出板が取付けられ、左アームの旋回方向側の上記受けブロックと該突出板との間には上記右アームの前方旋回によりその先端カッター刃が進入可能な間隙が形成されてなることを特徴とするペーパードレーン用ペーパーの自動切断及びアンカー取付け装置に関するものである。以下、本発明装置の実施形態を図により説明する。
【０００９】
【発明の実施の形態】
図１は本発明装置の平面図、図２は同・背面図、図３は要部の斜視図であり、この装置Ａは図１５に全体を示すペーパードレーン打設装置のケーシング１の昇降装置５０下側前端部に垂設固定された支持体５１下面に取付けられ、後記の左右両旋回アーム２、３が運転室５２方向へ向って互いに接近するように水平方向へ旋回し、ケーシング１の昇降位置で両アーム２、３の先端部が互いに嵌合するようになっている。
【００１０】
図１〜３において、２は右アーム、３は左アームで、ほぼ同長の両アーム２，３はそれぞれ別々の支軸４，５に軸支され、クランク機構を介して別々の油圧シリンダ６，７の駆動により同じ高さ位置でケーシング１方向へ９０°水平旋回可能に構成され、ケーシング１打設時などの不使用時は一直線状に並んで細長の筐体８内に格納され、使用時には右アーム３は左側のシリンダ６により、また左アーム３は右側のシリンダ７によりそれぞれケーシング１側へ向って前方へ旋回する。
【００１１】
右アーム２の先端部上面にはその前方旋回方向へ向けて突出するようにカッター刃９が取付け固定されると共に、後記するアンカー４１を載置する浅い凹窪１０が形成されている。１１は右アーム２の上下にあって該アーム２より長くその先端部を互いに連結固定されその基部を右アーム２の旋回軸４にフリー状態で軸支されて水平旋回自在の２本のペーパー押え杆で、該押え杆１１の上下いずれか一方（図では上側の押え杆１１ａ）は右アーム２の板面に取付けたピンバネ（又は板バネ）１２に賦勢されて上下両押え杆１１の先端部が常に上記カッター刃９より旋回方向前方へ突出するように構成され、後記するように右アーム２が前方旋回して該押え杆１１が左アーム３線端部に当接すると、右アーム２のカッター刃９は上記バネ１２に抗して該押え杆１１より先方へもぐり込み可能となっている。
【００１２】
１３は右アーム２の板面の上下いずれか一方（図では上面）から押え杆１１の旋回方向内側に突設したストッパーで、該押え杆１１が右アーム２より必要以上に前方へ突出するのを規制すると共に、右アーム２が戻り方向へ旋回する際に、右アーム２と一緒に戻り旋回するためのものである。
【００１３】
一方、左アーム３の先端部上面には該アーム３の旋回方向前方へ突出するように右アーム２側の前記した上側の押え杆１１ａと当接可能な受けブロック１４が取付けられ、該ブロック１４の上面には更に旋回方向前方へ突出するように旋回方向端辺から台形に切込んだペーパー案内板１５が突設され、ドレーンペーパー４０を所定の位置で切断できるよう案内する。
【００１４】
１６は上記受けブロック１４の当接面下方にその全幅にわたって凹設された断面半円形の横溝で、後記するアンカー４１の食い込み歯４１ｃがペーパー４０を通して突入して来たときに、該歯４１ｃを下方へ折り返して、アンカー４１をペーパー４０の上側切断端に確実に止着するためのものである。
【００１５】
１７は左アーム３の先端部下面に上記受けブロック１４の旋回方向端面と同位置まで突出した突出板で、上記受けブロック１４が上記上側押え杆１１ａと圧接したときに、該突出板１７の前端面は下側押え杆１１ｂと圧接し、これによりペーパー４０を上下で確実に押えてカッター刃９による切断を容易なものとする。１８は受けブロック１４と突出板１７との間に形成された左アーム３の厚さ分の間隙であり、右アーム２が前方旋回して来たときに、カッター刃９と右アーム２先端の一部を受け入れるスペースとなっている。
【００１６】
１９は右アーム２先端部上面の凹窪１０の旋回方向の後端縁から該凹窪１０の中間部上方へ水平に突出するように臨ませて固定したアンカー押え板で、後記するアンカー４１を上記凹窪１０内に装入したときに該押え板１９前端がアンカー立上り部４１ｂ背面上端部に接し、右アーム２の前方旋回端において該部を強圧して食い込み歯４１ｃをペーパー４０に突き刺すようになっている。
【００１７】
２０は右アーム２の旋回方向前端縁の前記カッター刃よりやや基部側に該カッター刃とほぼ同程度まで突出させたガイド部材で、該ガイド部材２０はカッター刃９が左アーム８先端の前記間隙１８内への突入を案内する。
【００１８】
次に、図４〜９の作用説明図により、左右両アーム２，３の旋回操作とこれによるドレーンペーパー４０の切断とアンカー４１の該ペーパー４０上側切断端への取付け固定について説明する。
【００１９】
この装置の不使用時は、図１及び４に示す如く、両シリンダ６，７の復動（ピストンロッドの引込み）によって、左右両アーム２，３はケーシング１位置から離反するように互いに一直線状に並んで筐体８内に待機している。
【００２０】
そして、ケーシング１による軟弱地盤５３へのドレーンペーパー４０の所定深度までの打込みが完了し、下端にアンカー４１を取付けたドレーンペーパー４０をそのまま地盤５３中に残してケーシングのみを引抜いて行って、ケーシング１下端を地上の所定高さまで引き上げてから、地上に露出したペーパー４０を所定の高さ位置で切断するのである。
【００２１】
そこで、まずシリンダ７を作動させて左アーム３を水平角度９０°前方旋回させ、前方のカーシング１昇降位置にあるペーパー４０を先端の案内板１５内に案内する（図５参照）。
【００２２】
次に、シリンダ６を作動させて右アーム２を前方旋回させ、左アーム３と互いに対面するように接近させて行く。このとき、右アーム２の上下押え杆１１ａ，１１ｂはバネ１２の弾発力によりその先端部は先端カッター刃９より前方へ突出した状態でピン１３に制止されている。そこで、まず、右アーム２の前方旋回により、この上下押え杆１１ａ，１１ｂが右アーム２と先に前方旋回して右アーム２より先にペーパー４０に接し、上側押え杆１１ａは左アーム３の受けブロック１４前面に向けて、また下側押え杆１１ｂは突出板１７前端面に向けて、それぞれペーパー４０を挟圧してペーパー４０を固定する（図６及び図８参照）。
【００２３】
そして、前方旋回する右アーム２はバネ１２に抗してすぐにその先端部が上下押え杆１１ａ，１１ｂ間に入り込み、先端カッター刃９は左アーム３先端部上下に右アーム２側へ向けて突出する上記受けブロック１４と突出板１７との間隙１８内に突入することにより、その位置のペーパー４０部分を切断する（図７及び図９参照）。なお、カッター刃９部分が間隙１８内へ突入する際、該カッター刃９よりやや内側で右アーム２から前方へ突出するガイド部材２０が間隙１８内へ先に入り込み、該カッター刃９部分が確実容易に間隙１８内へ突入できるよう案内する。
【００２４】
なお、図では右アーム２の支軸４は切断すべきドレーンペーパー４０と左右方向において同位置にあり、両アーム２、３の支軸４、５がケーシング１側に若干ずれて位置しているが、これはペーパー４０をカッター刃９で切断するときに、カッター刃９がペーパー面に対して真正面から入るようにしたからであり、ペーパー４０が両アーム２、３の支軸４、５の中央で切断されるように構成することも可能である。
【００２５】
ところで、右アーム２がペーパー切断のために前方旋回するとき、右アーム２先端部上面に形成された凹窪１０内には、下端を切断されて次の打込みのため使用される基部をケーシング１内を介して外部の巻き取りローラ（図示せず）に巻着されてなる上側のペーパー４０ａの該下端に取り付けるべきアンカー４１が載置されている。
【００２６】
このアンカー４１は図１４に示す通り、平行する少なくとも２辺がケーシング１の直径より長い方形のアンカー底板４１ａの中央部に直角に立設固定したケーシング１の直径より幅の狭い板状の立上り部４１ｂが形成され、該立上り部４１ｂの上縁にはペーパー４０へ喰い込み固定するための先鋭な複数の食い込み歯４１ｃが底板４１ａ面と平行するように直角方向に突出形成されている。
【００２７】
そして、このアンカー４１は後記するアンカー供給装置から右アーム２が戻り旋回する毎に１個づつ右アーム２先端の上記凹窪１０上に食い込み歯４１ｃを前方旋回方向に向けて供給される。
【００２８】
そこで、該凹窪１０内にアンカー４１が供給された状態で右アーム２が前方旋回し、前記の如くカッター刃９を備えた右アーム２が先端部が左アーム３の間隙１８内に突入して行くと、凹窪１０に載置されたアンカー４１はその背面を前記アンカー押え板１９前端に押されて、切断された基部側のペーパー４０ａの下端部に各食い込み歯４１ｃが突き刺さり、さらに該歯４１ｃの先端は受けブロック１４の当接面下方の同じ高さ位置に凹設された断面半円形の横溝１６内に突入して強制的に下方へ折り返され、該歯４１ｃがペーパー４０ａ下端に食い込むことによってアンカー４１は強固に固定されることになる（図８〜９参照）。
【００２９】
このようにして、ドレーンペーパー４０が切断されると、上方を切断された下側のペーパー４０ｂはその下端に同一形状のアンカー（図示せず）を備えて軟弱地盤５３の所定深度に打込まれており、ペーパー４０ｂ全体はドレーン作用を行うものとして存置され、これにより１回分のドレーンペーパーの打設が完了するのである。
【００３０】
そして、ペーパー４０の切断と同時に次のペーパー打設のために上側のペーパー４０ａ下端部には、上記の如く次のアンカー４１が止着されている。そこで、左右アーム２，３は互いに離反方向へ戻り旋回して元位置（図４）に復帰し、ケーシング１昇降位置から離れると、ケーシング１は次の打設個所に移動し、再びケーシング１下端面でアンカー４１の底板４１ａ上面を押付けながら軟弱地盤５３中に次のペーパー４０ａを同様にして打設するのである。
【００３１】
なお、１回のペーパー打設が終了して右アーム２が戻り旋回すると、右アーム２の上下押え杆１１ａ，１１ｂは上側ペーパー４０ａを介しての左アーム３の受けブロック１４及び突出板１７の各前端面への圧接から解放され、再びバネ１２の弾発力によりその先端部はカッター刃９より旋回方向前方へ突出するようになる。
【００３２】
また、この実施例図では、左アーム３が先に前方旋回してペーパー４０をつかまえてから、右アーム２が前方旋回するように時間差を付けているが、左右両アーム２，３が同時に前方のペーパー４０に向って互いに接近方向に旋回させるようにしてもよいことは勿論のことである。
【００３３】
次に、図１０〜１３を参照して、右アーム２先端部上面の凹窪１０へ該右アームが戻り旋回する毎にアンカー４１を自動供給するアンカー自動供給装置を説明する。
【００３４】
２１は左右両アーム２，３が戻り旋回して互いに一直線状に並んだときに、該位置の右アーム２の先端凹窪１０上方に配置されたアンカー４１を上下一列に積み重ねて整列貯蔵するためのマガジンであり、該マガジン２１は水平断面略コ字形の左右２枚の側板２１ａ，２１ｂを互いにその内側を対面させるように固定されて上下双方は開放されている（図１３参照）。
【００３５】
２２は該マガジンの両側板２１ａ，２１ｂの内面に互いに位置をずらして上下にわたって突出形成した突条であり、該突条２２はアンカー４１の底板４１ａの左右両側辺に形成した切欠部４１ｄに嵌合し、アンカー４１の食い込み歯４１ｃを前方（右アーム２の旋回方向側）に向けて整列規制するようになっている。
【００３６】
２３は上記マガジン２１の左右両外側下端部に固定された固定ブロック２４，２４後端からそれぞれ後方へ突出する２本のガイドロッド２５，２５に左右両端部を貫挿支持されて該ロッド２５に沿って前後に移動可能な摺動ブロックで、該摺動ブロック２３はその左右外側に一端を止着し他端を上記固定ブロック２４のそれぞれ外側に止着して両ブロック２３，２４を結ぶ引張りコイルスプリング２６によって常にマガジン２１背面下端へ向って前進するように賦勢されている。
【００３７】
２７は上記摺動ブロック２３の前面に前方へ向って突出する２本の平行な支持バーで、該バー２７，２７は摺動ブロック２３全面の中央側に若干寄せて突設され、かつマガジン２１内に積重ねられたアンカー４１のうち、最下段のアンカー４１が右アーム４１が右アーム２の凹窪１０上に供給されたときに、すぐその上のアンカー４１（下から２番目の）の底板４１ａの下面とほぼ同じ高さ位置に設けられている。
【００３８】
しかして、右アーム２が戻り旋回（後方旋回）して休止しているときは、摺動ブロック２３は上記スプリング２６の引張力に抗して右アーム２先端部背面に押圧され、後方へ押戻されることにより、２本の支持バー２７先端はマガジン２１内から離脱している（図１０参照）。そして、このときマガジン２１内の最下段のアンカーは凹窪１０内に載置供給される。
【００３９】
そして、前記したようにペーパー４０の切断とペーパー４０へのアンカー４１取付けのために右アーム２が前方旋回を始めると、スプリング２６の引張力により摺動ブロック２３は右アーム２先端背面部に接しながら追随して行くことにより、支持バー２７先端部がマガジン２１内の下から２番目のアンカー４１下側に入り込んで行く（図１１参照）。
【００４０】
さらに、右アーム２が前方旋回して、その先端部がマガジン２１直下から完全に離脱すると、摺動ブロック２３はマガジン２１背面下端に当接してその前進を制止され、２本の支持バー２７は上記した下から２番目のアンカー４１を完全にすくい取って下方への落下を防止する（図１２参照）。
【００４１】
マガジン２１下から先端部が離れた右アーム２は上記した最下段のアンカー４１を凹窪１０内に載置したまま前方へ９０°旋回して左アーム３と嵌合し、前記したように該アンカー４１の切断した上側のペーパー４０ａ下端部への取付けを行う。
【００４２】
そして、ペーパー４０の切断とアンカー４１の取付けが完了し、左アーム３と右アーム２が戻り旋回して来ると、再び右アーム２後端部背面が摺動ブロック２３前面に当接して押し戻して行き、これに伴って２本の支持バー２７がマガジン２１内から後退し、該バー２７先端がマガジン２１内から完全に離脱したときには、右アーム２先端部の凹窪１０はマガジン２１直下に到達しており、支持バー２７に支持されていた上記２番目のアンカー４１が該凹窪１０内に落下供給されて、次のペーパー４０へのアンカー取付けのために待機する（図１０参照）。
【００４３】
【発明の効果】
本発明は上述のようにしてなり、ドレーンペーパーの切断とアンカーの取付けを遠隔操作によって同時かつ自動的に行うことができ、軟弱地盤へのケーシングの打ち込みや引抜き時のように泥土が周囲に飛散する状況のときには左右両旋回アームはケーシング位置から離れており、ドレーンペーパーの切断とアンカーの該ペーパーへの取付けの際にはケーシング昇降位置に旋回到達するように構成されているので、装置各部が泥土の飛散による影響を受ける心配がなく、確実かつ正確な作動が得られる。
【００４４】
また、この装置自体は全体にコンパクトに構成することができるので、狭い場所等においてペーパードレーン打設機による全旋回での打設工事が可能となる等、種々の効果を有する。
【図面の簡単な説明】
【図１】本発明に係るペーパードレーン用ペーパーの自動切断及びアンカー取付け装置の平面図である。
【図２】同、背面図である。
【図３】本発明装置の要部の斜視図である。
【図４】左右両旋回アームによりドレーンペーパーの切断を行う際の各部の動きを示す平面的な作用説明図である。
【図５】左右両旋回アームによりドレーンペーパーの切断を行う際の各部の動きを示す平面的な作用説明図である。
【図６】左右両旋回アームによりドレーンペーパーの切断を行う際の各部の動きを示す平面的な作用説明図である。
【図７】左右両旋回アームによりドレーンペーパーの切断を行う際の各部の動きを示す平面的な作用説明図である。
【図８】左右両アームによるドレーンペーパーの切断とアンカーの同時取り付けを行う際の各部の動きを示す側面から見た作用説明図である。
【図９】左右両アームによるドレーンペーパーの切断とアンカーの同時取り付けを行う際の各部の動きを示す側面から見た作用説明図である。
【図１０】アンカー自動供給装置の作用を示す側面説明図である。
【図１１】アンカー自動供給装置の作用を示す側面説明図である。
【図１２】アンカー自動供給装置の作用を示す側面説明図である。
【図１３】アンカー自動供給装置の駆動部分の要部を示す斜視図である。
【図１４】本発明装置に使用するアンカーの斜視図である。
【図１５】本発明装置を組み込んだペーパードレーン打設機全体の側面説明図である。
【符号の説明】
１−ケーシング
２−右アーム
３−左アーム
４−旋回支軸
５−旋回支軸
６−油圧シリンダ
７−油圧シリンダ
８−筐体
９−カッター刃
１０−凹窪
１１−ペーパー押え杆
１２−ピンバネ
１３−ストッパーピン
１４−受けブロック
１５−ペーパー案内板
１６−横溝
１７−突出板
１８−間隙
１９−アンカー押え
２０−ガイド部材
２１−マガジン
２２−突条
２３−摺動ブロック
２４−固定ブロック
２５−ガイドロッド
２６−引張りコイルスプリング
２７−支持バー
４０−ドレーンペーパー
４１−アンカー
５０−ケーシング昇降装置
５１−支持体
５２−運転室
５３−軟弱地盤
５４−リーダー
Ａ−本発明装置
【図１】
0003639988.tif 000002
【図２】
0003639988.tif 000003
【図３】
0003639988.tif 000004
【図４】
0003639988.tif 000005
【図５】
0003639988.tif 000006
【図６】
0003639988.tif 000007
【図７】
0003639988.tif 000008
【図８】
0003639988.tif 000009
【図９】
0003639988.tif 000010
【図１０】
0003639988.tif 000011
【図１１】
0003639988.tif 000012
【図１２】
0003639988.tif 000013
【図１３】
0003639988.tif 000014
【図１４】
0003639988.tif 000015
【図１５】
0003639988.tif 000016